(57)【要約】      （修正有）【課題】サビキ釣りなどの仕掛け釣りに用いる仕掛け針について、ターゲットとなる魚の集魚力と食いつきを向上させる、仕掛け針および仕掛け針用ブレードを提供する。【解決手段】仕掛け針につき、仕掛け針本体１１と、仕掛け針本体に取り付けられ、仕掛け針本体とともに水中に没した際に、水の抵抗や水流により仕掛け針本体とは独立に揺れ動いたり、光を反射して煌めいたりすることが可能なブレード１２と、からなる構成を採用した。各々の仕掛け針の動きや煌めきの度合いに個体差が生じるので、小魚などの餌が逃げ惑う様子により近づけられることになり、ターゲットの警戒心をより好奇心側に寄せることができ、魚の捕食意欲をかき立てることが可能となる。【選択図】図２
0003234479.tif 000002
【実用新案登録請求の範囲】
【請求項１】
仕掛け針本体と、
前記仕掛け針本体に取り付けられ、仕掛け針本体とともに水中に没した際に、水の抵抗や水流により前記仕掛け針本体とは独立に揺れ動いたり、光を反射して煌めいたりすることが可能なブレードと、からなる仕掛け針。
【請求項２】
前記仕掛け針本体は、釣針に魚皮、人造魚皮、または羽毛を被せてなる請求項1に記載の仕掛け針。
【請求項３】
前記ブレードは、平面視で略楕円形をしており、かつその一方の面が凸面となりその他方の面が凹面となるように湾曲しており、その長径方向の一端に前記仕掛け針本体に取り付けるための取付孔を有している、請求項1または２に記載の仕掛け針。
【請求項４】
前記ブレードは、長径が５〜１５ｍｍ、短径が２〜７ｍｍである請求項３に記載の仕掛け針。
【請求項５】
前記ブレードは、その取付穴に前記仕掛け針本体が挿通されており、その上から弾性を有する抜け止め具が前記仕掛け針本体に突き刺されることで、前記仕掛け針本体に対して取り付けられている、請求項３または４に記載の仕掛け針。
【請求項６】
前記仕掛け針本体には、フック状の連結具が付属し、
前記ブレードは、前記取付孔に前記フック状の連結具を引っ掛けることで、前記仕掛け針本体に対して、前記フック状の連結具を介して、着脱可能に取り付けられている請求項３または４に記載の仕掛け針。
【請求項７】
平面視で長径が５〜１５ｍｍ、短径が２〜７ｍｍの略楕円形をしており、かつその一方の面が凸面となりその他方の面が凹面となるように湾曲しており、その長径方向の一端に仕掛け針本体に取り付けるための取付孔を有している、仕掛け針用ブレード。
【考案の詳細な説明】
【技術分野】
【０００１】
本考案は、サビキ釣りなどの仕掛け釣りの際に用いられる仕掛け針およびこれに付属するブレードに関する。
【背景技術】
【０００２】
従来、仕掛け針を用いた釣りの手法の一つとして、いわゆるサビキ釣りが知られている。サビキ釣りには、特許文献１のように、釣針本体に魚皮、人造魚皮（ティンセル）、または羽毛などを被せてなる擬餌針としてのサビキ針が用いられる。
【０００３】
このサビキ針を数ｍ程度の幹糸に間隔をあけて数個から数十個程度取り付けて水中に垂らし、同時に餌籠を用いるなどして周囲に撒き餌をおこなうことでターゲットとなる魚をおびき寄せる。その魚がサビキ針を餌と見誤って食いつくことで、釣りあげられるものである。
【０００４】
ところで、従来のサビキ針では、釣り竿（ロッド）を操作して幹糸を上下に揺らすなどしてサビキ針を動かし、魚に誘いをかけたとしても、同じ幹糸に取り付けられたサビキ針が同期して同じ動きしかおこなわない。このため、サビキ針の可動域が狭いことも相俟って、サビキ針の動きに、餌がランダムに動いているような生命感に欠けていた。したがって、さらに魚の食いつきが良くなるような工夫が求められていた。
【０００５】
また、フィッシュイーターと呼ばれる他の魚を捕食する肉食魚は、一般に、光の反射に興味を示すが、従来のサビキ釣りの場合、サビキ針自体に平坦な反射面を設ける試みもなされてはいるものの、その反射面の面積が小さいこともあり、フィッシュイーターに対するアピールが未だ弱かった。
【先行技術文献】
【特許文献】
【０００６】
【特許文献１】実用新案登録第３１３１４４３号公報
【考案の概要】
【考案が解決しようとする課題】
【０００７】
そこで本考案の解決すべき課題は、サビキ釣りに用いるサビキ針を含む仕掛け針の全般について、ターゲットとなる魚の集魚力と食いつきを向上させることである。
【課題を解決するための手段】
【０００８】
上記した課題を解決するため、考案にかかる仕掛け針を、仕掛け針本体と、仕掛け針本体に取り付けられ、仕掛け針本体とともに水中に没した際に、水の抵抗や水流により仕掛け針本体とは独立に揺れ動いたり、光を反射して煌めいたりすることが可能なブレード（小型の反射板）と、からなるものとしたのである。
【０００９】
本考案にかかる仕掛け針において、仕掛け針本体は、釣針に魚皮、人造魚皮、または羽毛を被せてなる構成を採用することが好ましい。
【００１０】
本考案にかかる仕掛け針において、ブレードは、平面視で略楕円形をしており、かつその一方の面が凸面となりその他方の面が凹面となるように湾曲しており、その長径方向の一端に前記仕掛け針本体に取り付けるための取付孔を有している構成を採用することが好ましい。
この場合に、ブレードは、長径が５〜１５ｍｍ、短径が２〜７ｍｍである構成を採用することがなお好ましい。
【００１１】
本考案にかかる仕掛け針において、ブレードは、その取付孔に仕掛け針本体が挿通されており、その上から弾性を有する抜け止め具が仕掛け針本体に突き刺されることで、仕掛け針本体に対して取り付けられている構成を採用することが好ましい。
この場合に、仕掛け針本体には、フック状の連結具が付属し、ブレードは、前記取付孔に前記フック状の連結具を引っ掛けることで、前記仕掛け針本体に対して、前記フック状の連結具を介して、着脱可能に取り付けられている構成を採用することがなお好ましい。
【００１２】
また、上記した課題を解決するため、考案にかかる仕掛け針用ブレードを、平面視で長径が５〜１５ｍｍ、短径が２〜７ｍｍの略楕円形をしており、かつその一方の面が凸面となりその他方の面が凹面となるように湾曲しており、その長径方向の一端に仕掛け針本体に取り付けるための取付孔を有している構成としたのである。
【考案の効果】
【００１３】
考案にかかる仕掛け針を以上のように構成し、仕掛け針本体にブレードを付属させ、このブレードが仕掛け針本体とともに水中に没した際に、水の抵抗や水流により仕掛け針本体とは独立に揺れ動いたり、光を反射して煌めいたりするようにしたので、各々の仕掛け針の動きや煌めきの度合いに個体差が生じるようになった。
【００１４】
すなわち、釣竿のロッドワークによる縦の誘いと水流による横からの抵抗とで、各ブレードにランダムかつ複雑な動きが誘発され、かつ光の反射も相俟って、小魚などの餌が逃げ惑う様子により近づけられることになる。
これによって、従来の仕掛け針よりも生命感を与えられることが可能となる。その結果、ターゲットの警戒心をより好奇心側に寄せることができ、魚の捕食意欲をかき立て釣果アップに繋げることが可能となった。
特に、ブレードの煌めきにより、フィッシュイーターに対して強くアピールすることが可能となった。
【００１５】
また、考案にかかる仕掛け針用ブレードを以上のように構成したので、既存の仕掛け針にブレードを取り付けることで、もともとブレードが付属する仕掛け針と同様に、集魚力および食いつきを向上させる効果を得ることが可能となった。
【図面の簡単な説明】
【００１６】
【図１】実施形態のサビキ針を取り付けた釣り竿の側面図
【図２】（ａ）は実施形態のサビキ針の一例を示す側面図、（ｂ）は実施形態のサビキ針の他の例を示す側面図
【図３】（ａ）は実施形態のブレードの正面図、（ｂ）は実施形態のブレードの縦断面図、（ｃ）は実施形態のブレードの横断面図、（ｄ）は連結具の正面図
【図４】実施形態のサビキ針の水中での動きを示す図
【考案を実施するための形態】
【００１７】
以下、図面を参照しつつ、本考案の実施形態について説明する。図１から図４に示す実施形態のサビキ針１０は、魚釣りでのサビキ仕掛けにおいて使用され、ターゲットとなる魚の集魚力と食いつきの向上に資するものとなっている。
【００１８】
図１に釣り具の一例を示し、そのロッド１には、その長手方向に沿って並列する環状のガイド１ａが形成されており、その後端部が手で握って操作するためのグリップ１ｂとなっている。
グリップ１ｂには、ハンドル２ａが付属するリール２が取り付けられており、リール２のスプール２ｂには釣糸３が巻回されている。この釣糸３はロッド１の先端に向かってガイド１ａを順次挿通している。
【００１９】
釣糸３の幹糸３ａには、ハリス３ｂを介して等間隔をおいて実施形態のサビキ針１０が取り付けられている。また、幹糸３ａの先端部には、餌籠４が取り付けられている。
リール２のハンドル２ａを正逆回転操作することで、釣糸３は繰り出されまた巻き戻され、サビキ針１０や餌籠４を操作できるようになっている。
ロッド１の操作や水流により、餌籠４から餌が拡散し、ターゲットとなる魚がおびき寄せられる。おびき寄せられた魚は、サビキ針１０を餌と誤解して食いつくことにより、釣り上げられる。
【００２０】
図２および図３のように、仕掛け針の一例としての実施形態のサビキ針１０は、サビキ針本体１１と、実施形態のブレード１２と、サビキ針本体１１とブレード１２とを連結する連結具１３とからなる。なお、サビキ針１０は、これら以外の部品が付属していてもよい。
【００２１】
図２のように、サビキ針本体１１は、釣針１１ａに、ティンセル１１ｂを被せ、モール１１ｃを巻き付け、ビーズ１１ｄを付属させてなり、ターゲットとなる魚の餌に似せた外観となっている。
サビキ針本体１１の釣針１１ａのチモトには、ハリス３ｂが結び付けられ、さらにハリス３ｂと幹糸３ａとが結び付けられている。
【００２２】
図２および図３（ａ）から（ｃ）のように、実施形態のブレード１２は、平面視で略楕円形の形状をしており、その長径方向の一端に貫通孔である取付孔が設けられている。
またブレード１２は、その一方の面が凸面となり他方の面が凹面となるように、スプーン状に湾曲している。これにより水中に没した場合に、水の抵抗を受けやすくなり、その結果、動きが大きくなってターゲットとなる魚へ強くアピールすることができる。
【００２３】
ブレード１２の大きさは、特に限定されるものではないが、長径が５〜１５ｍｍ、短径が２〜７ｍｍのものが例示できる。
ブレード１２が大きすぎるとターゲットとなる魚に警戒心を抱かせることになるし、小さすぎると、光の反射による煌めきが少ないなどして集魚効果が期待できない。
【００２４】
ブレード１２の材質も特に限定されず、金属製、合成樹脂製が例示できるが、光の反射が大きいものとして金属製が好ましい。また、合成樹脂の表面にメタリック塗装をおこなうなど、反射効率の高い処理を施すこともできる。
さらに、ブレードは、餌がエビである場合、赤みがかった色に塗装するなど、餌の色味に似せた塗装を施して、集魚効果を高めることもできる。
その他、天候や水深・水質などの状況に応じて、夜光性を持たせるなど、様々なターゲットとなる魚種の興味を引く様な処理を施すことができる。
【００２５】
図２（ａ）および図３（ｄ）のように、連結具１３は、金属製の線材を８の字状に折り曲げることで形成されており、両端がフック１３ａとなっている。各フック１３ａの先端は連結具１３の胴に接触して閉じている。このフック１３ａの先端は、負荷をかけると胴から離れて弾性的に開くようになっており、これによりフック１３ａに物品を引っ掛けることが可能となっている。
【００２６】
図２（ａ）のように、連結具１３の一端のフック１３ａには、サビキ針本体１１の釣針１１ａが差し込まれている。釣針１１ａには、その上からゴムなどの弾性体からなる抜け止め具１１ｅが突きさされ、フック１３ａの釣針１１ａからの抜け止めがなされている。
また、連結具１３の他端のフック１３ａは、ブレード１２の取付孔１２ａに引っ掛けられている。取付孔１２ａに引っ掛けられた後は、フック１３ａの先端は復元弾性により閉じるため、フック１３ａのブレード１２からの抜け止めがなされる。
これにより、連結具１３を介して、ブレード１２がサビキ針本体１１に取り付けられることになる。
【００２７】
ブレード１２を引っ張ると、フック１３ａの先端が開いて、連結具１３からブレード１２を取り外すことが可能となっている。
したがって、ブレード１２の脱着が容易であり、状況やターゲットとなる魚の好みに応じて、カラーの異なるブレードへと変更したり、ブレード１２を取り外してサビキ針本体１１のみで釣りをおこなったり、することもできる。
【００２８】
連結具１３の構造は図示したものに限られず、たとえば軟質素材や繊維などから構成してもよいし、スイベル状に軸回りに回転するような連結具として、ブレード１２の可動域をより広く、かつ動きをより複雑にすることもできる。
また、ブレード１２を付け外しする必要のない場合などには、図２（ｂ）のように、連結具１３を省略してブレード１２を直接サビキ針本体１１に取り付け、構造を簡略化することもできる。連結具１３事体をブレード１２が取り付けられた状態で、それ以上つけ外しできないような構造とすることもできる。
【００２９】
実施形態のサビキ針１０の構成は以上のようであり、水の抵抗を受けて揺らめくブレード１２をサビキ針本体１１に連結することで、ブレード１２がサビキ針本体１１を牽引し、従来のサビキ仕掛けでは表現し難かった、各サビキ針１０の独立した動きを実現可能となる。
加えて、それぞれのサビキ針１０がランダムに煌めいたり揺らめいたりして、ターゲットとなる魚にアピールできるようになる。
【００３０】
ロッド１の操作による縦の誘いと水流による横からの抵抗でブレード１２が複雑な動きを誘発し、図４のように、小魚やエビなどの餌が散り散りバラバラに逃げ惑う様子に近づけられることで、サビキ仕掛け全体として、従来のものより生命感を与えられるようになり、また目立たせ差別化することが可能となる。
結果、ターゲットとなる魚の警戒心をより好奇心側に寄せることができ、魚の捕食意欲をかき立て釣果アップに繋げることができる。
【００３１】
今回開示された実施形態はすべての点で例示であって制限的なものではない。
本考案の範囲は実用新案登録請求の範囲によって示され、その範囲内およびこれと均等の意味でのすべての修正と変形を含むものとする。
【００３２】
たとえば、サビキ針本体１１の構成は実施形態に限定されず、魚皮や羽毛を用いることも含めて、一般的な擬餌針の構成をすべて採用可能である。ティンセルを用いる場合も、魚の注意を引くよう、ホログラム状の模様を付してもよい。
【００３３】
また、ブレード１２の構成も実施形態に限定されず、平面視形状をティアドロップ形や円形や多角形状としたり、両面をフラットなものとしたり、逆に両面に複数の凹凸が設けられたものとしたりすることも可能である。実施形態ではブレード１２はサビキ針本体１１に一つ取り付けているが、個数はこれに限定されず、複数取り付けてもよい。
【００３４】
実施形態では、サビキ針１０にあらかじめブレード１２が付属しているものとしたが、これに限定されず、既存のサビキ針１０のサビキ針本体１１にブレード１２を後から取り付ることも可能である。
すなわち、ブレード１２を単体で販売して、別売のサビキ針本体１１のみからなるサビキ針に任意で取り付け可能に構成するなどしてもよい。
【００３５】
また、実施形態のサビキ針１０を用いるサビキ仕掛けの態様は、図示されたものに限定されない。
チョクリと称されるビニール片を用いた仕掛け針も含め、錘を用いた胴付き仕掛け、天秤を用いたサビキ仕掛け、遠投可能な飛ばし籠を用いたサビキ仕掛けなど、様々なサビキ仕掛けに対応可能である。
【００３６】
さらに、実施形態では仕掛け針の一例としてサビキ針を挙げたが、本考案は、サビキ針以外の仕掛け針にも適用可能である。
【符号の説明】
【００３７】
１  ロッド
１ａ  ガイド
１ｂ  グリップ
２  リール
２ａ  ハンドル
２ｂ  スプール
３  釣糸
３ａ  幹糸
３ｂ  ハリス
４  餌籠
１０  サビキ針（仕掛け針）
１１  サビキ針本体（仕掛け針本体）
１１ａ  釣針
１１ｂ  ティンセル
１１ｃ  モール
１１ｄ  ビーズ
１１ｅ  抜け止め具
１２  ブレード
１２ａ  取付孔
１３  連結具
１３ａ  フック
【図１】
0003234479.tif 000003
【図２】
0003234479.tif 000004
【図３】
0003234479.tif 000005
【図４】
0003234479.tif 000006